(57)【要約】【課題】ビーズの装着された糸条と、その糸条間を連結する糸条とが確り絡合して構造が安定し、ベルトや腕輪等の身の回り装飾品としての使用中に、ビーズと共に糸条が擦れ動いてビーズとビーズの間に大きな隙間が出来て見栄えの悪いものとならないビーズ織物を効率的に得る。【解決手段】ビーズ１１の挿入孔１２に緯糸２４を差し込んでビーズ１１を装着した緯糸２４を、２本１組となって隣り合う経糸１７ａ・１７ｂによって構成される開口内２２にセットし、隣り合う２組の経糸と経糸の間にビーズを嵌め合わせ、そのビーズを緯糸２４と共に織前２５へと織り込み、２本１組となって隣り合う２本の経糸１７ａ・１７ｂの織幅方向Ｗにおける配列順序を変えてその隣り合う２本の経糸を捩り、その隣り合う２本１組の経糸１７ａ・１７ｂと緯糸２４による捩り織組織を生成する。【選択図】図４
2008007866.tif 000002
【特許請求の範囲】
【請求項１】
ビーズの挿入孔（１２）に緯糸を差し込んでビーズ（１１）を装着した緯糸（２４）を、２本１組となって隣り合う経糸（１７ａ・１７ｂ）によって構成される開口内（２２）にセットし、隣り合う２組の経糸と経糸の間にビーズ（１１）を嵌め合わせ、２本１組となって隣り合う２本の経糸（１７ａ・１７ｂ）の織幅方向（Ｗ）における配列順序を変えてその隣り合う２本の経糸を捩り、その隣り合う２本１組の経糸（１７ａ・１７ｂ）と緯糸（２４）による捩り織組織を生成することを特徴とするビーズ織物製織法。
【請求項２】
ビーズの挿入孔（１２）にニードルを差し込んでビーズ（１１）を装着したニードル（２３）を、２本１組となって隣り合う経糸（１７ａ・１７ｂ）によって構成される開口内（２２）にセットし、隣り合う２組の経糸と経糸の間にビーズを嵌め合わせ、そのニードル（２３）をビーズの挿入孔（１２）から抜き取ると同時に、そのニードル（２３）によって緯糸（２４）をビーズの挿入孔（１２）に導入し、２本１組となって隣り合う２本の経糸（１７ａ・１７ｂ）の織幅方向（Ｗ）における配列順序を変えてその隣り合う２本の経糸を捩り、その隣り合う２本１組の経糸（１７ａ・１７ｂ）と緯糸（２４）による捩り織組織を生成することを特徴とするビーズ織物製織法。
【請求項３】
ビーズ（１１）を具備する緯糸（２４）と２本１組の経糸（１７ａ・１７ｂ）が織組織を構成しており、その織組織を構成して隣り合う２組の経糸（１７ａ・１７ｂ）と経糸（１７ａ・１７ｂ）の間にビーズ（１１）が介在しており、緯糸（２４）がビーズの挿通孔（１２）を貫通しているビーズ織部（２８）が織成されており、経糸（１７ａ・１７ｂ）が何れかの緯糸（２４・３７）と捩り織組織を構成していることを特徴とするビーズ織物。
【請求項４】
ビーズ織部（２８）においてビーズ（１１）を具備する緯糸（２４）と２本１組の経糸（１７ａ・１７ｂ）が捩り織組織を構成していることを特徴とする前掲請求項３に記載のビーズ織物。
【請求項５】
ビーズ（１１）を具備しない絵緯糸（３７）と経糸（１７）が織組織を構成した一般織部（２９）が織成されており、その一般織部（２９）の経糸（１７）とビーズ織部（２８）の経糸（１７）とが連続していることを特徴とする前掲請求項３と４の何れかに記載のビーズ織物。
【請求項６】
一般織部（２９）の絵緯糸（３７）の繊度がビーズ織部（２８）の緯糸（２４）の繊度よりも太いことを特徴とする前掲請求項５に記載のビーズ織物。
【請求項７】
緯糸（２４・３７）と捩り織組織を構成している２本１組の経糸（１７ａ・１７ｂ）の少なくとも一方の経糸（１７ａ）が弾性糸であることを特徴とする前掲請求項３と４と５と６の何れかに記載のビーズ織物。
【請求項８】
ビーズの挿通孔（１２）を貫通している緯糸（２４ａ・２４ｂ）が２本引き揃えになっていることを特徴とする前掲請求項３と４と５と６と７の何れかに記載のビーズ織物。
【発明の詳細な説明】
【技術分野】
【０００１】
本発明は、ビーズによる装飾の施されたビーズ織物に関するものである。
【背景技術】
【０００２】
ビーズ織物は、刺繍糸を基布に縫い付ける刺繍針の１針毎に、その刺繍針をビーズの挿通孔に差し込み、そのビーズを掬い取って基布に縫い付けて構成されている。
しかし、その縫付操作は手作業によるので非能率であり、その改善手段として図１に示すように、挿入孔１２に金属糸条１３を差し込んで多数のビーズ１１、１１、１１………を数珠繋ぎにし、接着剤によってビーズを金属糸条に接着固定し、その後、数珠繋ぎになって隣り合うビーズ１１とビーズ１１の間で金属糸条１３を切断してビーズ片１４を調製し、そのビーズ片１４の挿入孔１２から突き出ている金属糸条１３を基布１６に差し込み、その基布から突き出された金属糸条の先端１５を折り曲げて基布１６にビーズ片１４を係止する手法が提案されている（例えば、特許文献１参照）。
【０００３】
ビーズ織物の織成法としては、図２に示すように、平行に並べて木枠に張設した経糸１７の配列面の経糸間１７・１７に、縫い針１８によって数珠繋ぎにした個々のビーズ１１を嵌め合わせ、その嵌め合わせた配列面の裏側へと縫い針１８を折り返し、その裏側に突き出た多数のビーズ１１、１１、１１………を１個づつ掬い取るように挿入孔１２に折り返した縫い針１８を再び通し、各ビーズに通された２条の縫い糸１９ａ・１９ｂの間に各経糸１７を挟み込み、ビーズ１１を介して経糸１７と縫い糸１９を連結して織物とする手法も知られている（例えば、特許文献２，３参照）。
【０００４】
ビーズ織物の他の織成法としては、ビーズを装着した糸条を経糸に使用し、綜絖の綜目を弾性糸で拡縮可能に形成し、経糸開口の都度、個々の綜目を押し広げてビーズを１個づつ織前側へと移動し、緯糸によって経糸間を連結する手法も知られている（例えば、特許文献４参照）。
【０００５】
ビーズ織物の別の他の織成法としては、綜絖を使用せず、綜絖に代る湾曲針を使用し、その湾曲針にビーズを装着すると共に、その湾曲針を経糸に接合して湾曲針から経糸へとビーズを移し変え可能にし、湾曲針を半回転して隣り合う湾曲針と湾曲針の湾曲箇所が上下逆向きとなる開口を形成し、その開口に緯糸を挿通させる手法も知られている（例えば、特許文献５参照）。
【０００６】
【特許文献１】特公昭５７−２１５８０号公報（特開昭５５−７１５９８）
【特許文献２】実用新案登録第３０９９４６４号公報
【特許文献３】実開平０６−０６４６９号公報
【特許文献４】特開平１０−４６４４２号公報
【特許文献５】特開平０８−６０４９０号公報
【発明の開示】
【発明が解決しようとする課題】
【０００７】
図１に示す手法（例えば、特許文献１参照）では、言わばビーズ１１を画鋲のように基布１６に鋲打固定するもので、ビーズ１１が基布から外れ易く、又、基布１６に差し込まれた金属糸条の先端１５に触れて肌身を傷める危険がある。
【０００８】
図２に示す手法（例えば、特許文献２，３参照）では、数珠繋ぎになった複数個のビーズを横一列に経糸１７の配列面に取付固定する度に、次に取付固定する複数個のビーズを縫い針１８に装着しなければならず、又、縫い糸を繰り返して何度も経糸に綴じ付けるので縫い針の糸通し孔２０から引き出す縫い糸１９の引出代２１を限りなく長くしなければならないので、ビーズの装着に手間取る。
そして何より、経糸の配列面の裏側に突き出た各ビーズの挿入孔１２に遂一縫い針１８を差し込むので、結局、個々のビーズを基布に掬い縫いする旧来の手法と同じことになるし、経糸１７が表裏２本の縫い糸間１９・１９に遊嵌しているだけなので擦れ動き易く、経糸１７と縫い糸１９が確り絡合したビーズ織物は得られない。
【０００９】
ビーズを経糸に装着し、拡縮可能な綜目からビーズを織前へと押し出す手法（例えば、特許文献４参照）では、経糸開口の都度、綜目を個々に押し広げてビーズを１個づつ織前へと移動しなければならず、その操作は手作業によらざるを得ないので非能率であり、各経糸に装着することの出来るビーズの個数にも限度があるので長尺のビーズ織物は得られない。
【００１０】
綜絖を使用せず、綜絖に代る湾曲針を使用し、経糸に装着したビーズを織前へと押し出す手法（例えば、特許文献５参照）では、各経糸に接合した湾曲針を経糸開口の都度個々に半回転しなければならず、その操作に手間取り、又、各湾曲針に装着し得るビーズの個数も限度があるので長尺のビーズ織物は得られない。
【００１１】
ビーズ織物は、その織密度がビーズの寸法に応じて粗く、又、ビーズの挿入孔１２の内壁面が平滑で滑り易いので、ベルトや腕輪等の身の回り装飾品としての使用中にビーズと共に経糸や緯糸が擦れ動き、ビーズとビーズの間に大きな隙間が出来て見栄えの悪いものとなる。
【００１２】
そこで本発明は、ビーズの装着された糸条と、その糸条間を連結する糸条とが確り絡合して構造が安定し、身の回り装飾品としての使用中に見栄えの悪いものとなることのないビーズ織物を効率的に得ることを目的とする。
【課題を解決するための手段】
【００１３】
本発明に係るビーズ織物製織法は、（ａ）  ビーズ１１の挿入孔１２に緯糸２４を差し込んでビーズ１１を装着した緯糸２４を、２本１組となって隣り合う経糸１７ａ・１７ｂによって構成される開口内２２にセットし、（ｂ）  隣り合う２組の経糸１７ａ・１７ｂと経糸１７ａ・１７ｂの間にビーズ１１を嵌め合わせ、（ｃ）  そのビーズ１１を緯糸２４と共に織前２５へと織り込み、（ｄ）  ２本１組となって隣り合う２本の経糸１７ａ・１７ｂの織幅方向Ｗにおける配列順序を変えてその隣り合う２本の経糸を捩り、その隣り合う２本１組の経糸１７ａ・１７ｂと緯糸２４による捩り織組織を生成することを第１の特徴とする。
【００１４】
本発明に係るビーズ織物製織法の第２の特徴は、（ｅ）  ビーズ１１の挿入孔１２にニードル２３を差し込んでビーズ１１を装着したニードル２３を、２本１組となって隣り合う経糸１７ａ・１７ｂによって構成される開口内２２にセットし、（ｂ）  隣り合う２組の経糸１７ａ・１７ｂと経糸１７ａ・１７ｂの間にビーズ１１を嵌め合わせ、（ｆ）  そのニードル２３をビーズ１１の挿入孔１２から抜き取ると同時に、そのニードル２３によって緯糸２４をビーズ１１の挿入孔１２に導入し、（ｃ）  そのビーズ１１を緯糸２４と共に織前２５へと織り込み、（ｄ）  ２本１組となって隣り合う２本の経糸１７ａ・１７ｂの織幅方向Ｗにおける配列順序を入れ替えて隣り合う２本の経糸を捩り、その隣り合う２本１組の経糸１７ａ・１７ｂと緯糸２４による捩り織組織を生成する点にある。
【００１５】
本発明に係るビーズ織物は、ビーズ１１を具備する緯糸２４と２本１組の経糸１７ａ・１７ｂが織組織を構成しており、その織組織を構成して隣り合う２組の経糸１７ａ・１７ｂと経糸１７ａ・１７ｂの間にビーズ１１が介在しており、緯糸２４がビーズの挿通孔１２を貫通しているビーズ織部２８が織成されており、経糸１７ａ・１７ｂが何れかの緯糸２４・３７と捩り織組織を構成していることを第１の特徴とする。
【００１６】
本発明に係るビーズ織物の第２の特徴は、上記第１の特徴に加えて、ビーズ織部２８においてビーズ１１を具備する緯糸２４と２本１組の経糸１７ａ・１７ｂが捩り織組織を構成している点にある。
【００１７】
本発明に係るビーズ織物の第３の特徴は、上記第１と第２の何れかの特徴に加えて、ビーズ１１を具備しない絵緯糸３７と経糸１７が織組織を構成した一般織部２９が織成されており、その一般織部２９の経糸１７とビーズ織部２８の経糸１７とが連続している点にある。
【００１８】
本発明に係るビーズ織物の第４の特徴は、上記第３の特徴に加えて、一般織部２９の絵緯糸３７の繊度がビーズ織部２８の緯糸２４の繊度よりも太い点にある。
【００１９】
本発明に係るビーズ織物の第５の特徴は、上記第１と第２と第３と第４の何れかの特徴に加えて、ビーズ織部２８において緯糸２４と捩り織組織を構成している２本１組の経糸１７ａ・１７ｂの少なくとも一方の経糸１７ａが弾性糸である点にある。
【００２０】
本発明に係るビーズ織物の第６の特徴は、上記第１と第２と第３と第４と第５の何れかの特徴に加えて、ビーズの挿通孔１２を貫通している緯糸２４ａ・２４ｂが２本引き揃えになっている点にある。
【発明の効果】
【００２１】
本発明では、ビーズ１１を開口内２２でニードル２３や緯糸２４によって掬い取るのではなく、緯糸２４（図３）またはニードル２３（図４，図５）に装着して開口２２にセットし、そのまま隣り合う２組の経糸１７ａ・１７ｂと経糸１７ａ・１７ｂの間にビーズ１１を嵌め合わせて緯糸２４と共に織前２５へと織り込むので、ビーズ織物を効率的に織成することが出来る。
【００２２】
特に、複数個のビーズ１１の挿入孔１２にニードル２３や緯糸２４を差し込み、そのニードル２３や緯糸２４によって複数個のビーズ１１を数珠繋ぎにするときは、複数個のビーズ１１を開口内２２で一個づつニードル２３や緯糸２４によって掬い取る手間が省け、ビーズ織物の製織効率が大きく向上する。
【００２３】
そして、ニードル２３は、緯糸２４と異なり強靱で定形性を有するので、ビーズの挿入孔１２に差し込み易く、開口２２に挿入し易く、数珠繋ぎになって隣り合うビーズ間１１・１１に経糸１７を嵌め合わせ易いので、ビーズ織物の製織効率が大きく向上する。
【００２４】
本発明に係るビーズ織物３２は、ビーズ１１を係止する緯糸２４が経糸１７と絡合した織組織を構成しており、而も、その経糸１７が何れかの緯糸２４・３７と捩り織組織を構成しているので、緯糸２４・３７と経糸１７が擦れ動き難く、形態安定性に優れたものとなる。
【００２５】
ビーズ織部２８における経糸間の間隔と緯糸間の間隔は、ビーズ１１の寸法によって規定され、ビーズ１１の寸法よりも細かくし難い。しかし、ビーズ１１の織り込まれない一般織部２９における経糸間の間隔と緯糸間の間隔は、ビーズ１１の寸法によって規定されず、適宜、一般織部２９の絵緯糸３７の繊度をビーズ織部２８の緯糸２４の繊度よりも太くし、或いは、一般織部２９の緯糸密度をビーズ織部２８の緯糸密度に比して緻密にし、一般織物と同様に経糸や緯糸が擦れ動かない程度に一般織部２９を緻密に織成することが出来る。その一般織部２９によってビーズ織部２８における経糸や緯糸の擦れ動きが規制されるので、本発明のビーズ織物は、ベルトや腕輪等の身の回り装飾品としての使用中にビーズと共に経糸や緯糸が擦れ動いてビーズとビーズの間が広がり、経糸や緯糸が剥き出しになって見栄えの悪いものとなることがない。
【００２６】
特に、緯糸２４と捩り織組織を構成している２本１組の経糸１７ａ・１７ｂの少なくとも一方の経糸１７ａを弾性糸とするときは、ビーズと共に経糸や緯糸が擦れ動いても捩り織組織が弾性的に復原されるので、ビーズの間に大きな隙間が残って見栄えの悪いものとなることがない。
【００２７】
２本の緯糸２４ａ・２４ｂが２本引き揃えになってビーズ１１の挿入孔１２に通されているビーズ織物３２では（図９）、ビーズに擦れ合っても緯糸２４が糸切れを起こし難く、耐久性に富むものとなる。
【発明を実施するための最良の形態】
【００２８】
ニードル２３をビーズ１１の挿入孔１２から抜き取ると同時に緯糸２４をビーズ１１の挿入孔１２に導入するためには、編機用ニードルのベラやフック、輪奈等３４の緯糸２４を引っ掛けることの出来る係合部をニードル２３の一端に付設しておくとよく、ニードル２３をビーズ１１の挿入孔１２から抜き取る際に、その輪奈等３４に緯糸２４を引っ掛けておく（図４，図５）。
【００２９】
ニードル２３は、それを複数本用意し、そのそれぞれに複数個のビーズ１１を装着し、それぞれ複数個のビーズが数珠繋ぎになったビーズセットとして用意しておくとよい。その場合のニードル２３は、折り曲げて輪奈３４を形成した繊維糸条の先端側を樹脂によって接着して硬く仕上げた強化繊維樹脂製のものやプラスチック製のものでもよく、必ずしも編機用ニードルやミシン針等のように金属製にする必要はない。
【００３０】
緯糸をビーズと共に織前２５へと織り込む際には開口２２を閉じ加減にする。特に、ニードル２３をビーズ１１の挿入孔１２から抜き取る際には、上下一対の経糸１７ａ・１７ｂを閉じ合わせるとよいが、その場合、それら上下一対の経糸１７ａ・１７ｂを完全に閉じ合わせる必要はなく、その閉じ合わせる程度は、ニードル２３と共に擦れ動くビーズ１１が上下一対の経糸１７ａ・１７ｂに引っ掛かって織幅方向Ｗに移動しない程度であればよい。緯糸２４とビーズ１１を織前２５へと織り込む際の開口２２の閉じ具合も、同様に、ビーズ１１が織幅方向Ｗに移動しない程度でよい。
【００３１】
縫い針（１８）の糸通し孔（２０）と同様の糸通し孔２０を先端に穿設したニードル２３を使用するときは、そのニードル２３と共に緯糸２４をビーズの挿入孔１２に導入し、ニードル２３と緯糸２４によって複数個のビーズ１１を数珠繋ぎにして開口２２にセットすることが出来る（図８）。その場合、数珠繋ぎになっている先端のビーズの挿入孔１２からニードル２３によって突き出された緯糸２４の先端を把持し、ビーズの挿入孔１２からニードル２３を抜き取れば、２本引き揃えになった緯糸２４ａ、２４ｂによってビーズ１１がビーズ織物３２に係止されることになる（図９）。
【００３２】
ニードル２３を挿入孔１２に差し込んで複数個のビーズを数珠繋ぎにするためには、それら複数個のビーズ１１、１１、１１………を溝付き治具３０の溝３１に嵌め込み、それらの挿入孔１２の向きを織幅方向Ｗに揃えておくとよい。
【００３３】
ビーズ織物３２には、複数個のビーズ１１、１１、１１………を数珠繋ぎにして経糸１７ａ・１７ｂに係止する緯糸２４の他に、ビーズ１１をビーズ織物３２の片面に押し上げるための絵緯糸３７を織り込むことも出来る。その絵緯糸３７には、部分的に色彩の異なるスペースダイ糸（部分染色糸）やシェニール糸等の意匠糸を使用し、ビーズ織物３２に地模様を描出することも出来る。ビーズ織物３２の緯糸密度（製織方向に前後する緯糸間隔）をビーズの太さよりも緻密にしたい場合には、製織方向における数本おきの緯糸２４にビーズ１１を装着し、市松模様状に配置するとよい（図７）。
【００３４】
経糸や緯糸の擦れ動きを防ぐために、本発明では経糸１７ａ・１７ｂが何れかの緯糸２４・３７と捩り織組織を構成していればよく、特に、図３〜５に図示するように、ビーズを具備する緯糸２４の前後に絵緯糸３７を織り込む場合は、その絵緯糸３７と２本１組の経糸１７ａ・１７ｂが捩り織組織を構成し、ビーズを具備する緯糸２４と２本１組の経糸１７ａ・１７ｂを一般の平織組織つまり非捩り織組織を構成しても、その前後する捩り織組織がビーズを具備する緯糸２４と２本１組の経糸１７ａ・１７ｂの擦れ動きの防止に有効に作用する。
しかし、経糸１７や緯糸２４・３７の擦れ動き易い部分は、ビーズ１１の寸法に規制されて経糸間の間隔や緯糸間の間隔を細かくし難いビーズ織部２８であるから、そのビーズ織部２８においてビーズを具備する緯糸２４と２本１組の経糸１７ａ・１７ｂが捩り織組織を構成するようにすることが望ましい。
【００３５】
そのように、ビーズ織物は、経糸１７と絵緯糸３７に織成されていてビーズの織り込まれない一般織部２９と、ビーズの織り込まれたビーズ織部２８とから成るものでもよい（図３〜５，図１０）。ビーズ織部２８と一般織部２９が製織方向において前後する場合、必ずしも一般織部２９を絡み織組織にする必要はなく、又、ビーズ織部における絡み織組織も、必ずしも全ての経糸１７と緯糸２４によって構成する必要はない（図１０）。
【００３６】
特に、ビーズ織部２８と一般織部２９とから成るビーズ織物において、一般織部２９の隣り合う経糸間１７・１７の間隔ｐをビーズ１１の幅ｑよりも細かくしたい場合、ビーズ織部２８において隣り合うビーズ間１１・１１や各ビーズ１１の両端間に、絡み織組織を構成するのに所要の２本１組の経糸１７ａ・１７ｂの他に１本または複数本の経糸１７ｃ・１７ｄを配置しておくとよく、その場合、その追加の経糸１７ｃ・１７ｄまでも、緯糸２４と絡み織組織を構成するようにすることは必ずしも必要とされない（図１０）。
【００３７】
経糸１７や緯糸２４・３７の擦れ動きを防ぎ、本発明を更に効果的に実施する上では、経糸１７と緯糸２４・３７の一方または双方に熱融着成分と非熱融着成分とから成る熱融着性繊維糸条を使用することが推奨される。熱融着性繊維糸条は、熱融着性繊維と非熱融着性繊維とから成るものであってもよいし、熱融着成分を鞘成分とし非熱融着成分を芯成分とする熱融着性芯鞘複合繊維糸条に成るものであってもよい。
【００３８】
ベルトやサポーター、腕輪等の身の回り装飾品に使用される小幅のビーズ織物では、経糸１７に弾性糸を使用するとよい。その場合、絡み織組織を構成する２本１組の経糸１７ａ・１７ｂの中の一方（１７ａ）を弾性糸とし、他方（１７ｂ）には非弾性糸を使用し、弾性経糸１７ａを伸長しないビーズ織物３２の弛緩状態における非弾性経糸１７ｂの糸足（一定の寸法の織物を分解して取り出した糸条の実際の長さ）が弾性経糸１７ａの糸足よりも長く、弛緩状態のビーズ織物３２において弾性経糸１７ａが一直線状に連続し、非弾性経糸１７ｂが曲折して弾性糸１７ａに絡み付くように、製織過程で弾性経糸１７ａに強いテンションを加えて伸長するとよい。そのようにすると、ビーズ織物３２を引っ張ったとき、曲折している非弾性経糸１７ｂが一直線状になるまでは弾性経糸１７ａが伸長するものの、それ以上長くは伸長せず、手首などに装着し易く、装着使用中に強く圧迫されることのないベルトや腕輪が得られる。
【００３９】
弾性経糸１７ａには、ゴム、ポリウレタン系弾性繊維、ポリエーテルポリエステル系弾性繊維、トリメチレンテレフタレート系弾性繊維等が使用される。これらの弾性繊維は緯糸２４・３７にも適用することが出来る。非弾性経糸１７ｂには、麻繊維、羊毛繊維、木綿繊維等の天然繊維やナイロン、ポリエステル繊維、アクリル繊維等の有機合成繊維の他、炭素繊維、ガラス繊維、金属繊維等の非伸縮性無機質繊維を使用することが出来る。
【００４０】
ビーズ織物３２の両縁には耳糸３３が適宜配置される（図９）。ビーズ織部２８は、綴織物の一部を成すものであってもよい。その場合、耳糸３３は、絵緯糸として綴織組織をもって織り込むことも出来、又、綴織組織部とビーズ織部を繋ぐ綴じ糸に適用することも出来る。
【００４１】
ビーズ１１の素材は、ガラスの他、薬石や宝石等の鉱物、プラチナ、金、銀等の金属、プラスチックの何れでもよく、その素材の如何は問われない。
【図面の簡単な説明】
【００４２】
【図１】従来技術に係るビーズとビーズ織物の要部正面図である。
【図２】従来技術に係るビーズ織物の要部平面図である。
【図３】本発明に係るビーズ織物の製織過程での斜視図である。
【図４】本発明に係るビーズ織物の製織過程での斜視図である。
【図５】本発明に係るビーズ織物の製織過程での斜視図である。
【図６】本発明に係るビーズ織物の要部平面図である。
【図７】本発明に係るビーズ織物の要部平面図である。
【図８】本発明に係るビーズ織物の製織過程での斜視図である。
【図９】本発明に係るビーズ織物の要部平面図である。
【図１０】本発明に係るビーズ織物の要部平面図である。
【符号の説明】
【００４３】
１１：ビーズ
１２：挿入孔
１３：金属糸条
１４：ビーズ片
１５：先端
１６：基布
１７：経糸
１８：縫い針
１９：縫い糸
２０：糸通し孔
２１：引出代
２２：開口
２３：ニードル
２４：緯糸
２５：織前
２８：ビーズ織部
２９：一般織部
３０：溝付き治具
３１：溝
３２：ビーズ織物
３３：耳糸
３４：輪奈
３７：絵緯糸
【図１】
2008007866.tif 000003
【図２】
2008007866.tif 000004
【図３】
2008007866.tif 000005
【図４】
2008007866.tif 000006
【図５】
2008007866.tif 000007
【図６】
2008007866.tif 000008
【図７】
2008007866.tif 000009
【図８】
2008007866.tif 000010
【図９】
2008007866.tif 000011
【図１０】
2008007866.tif 000012